【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
1つまたは複数の直交周波数分割多重化(OFDM)シンボルを用いて構成されるダウンリンク制御チャネルリソースブロック(RB)セット上での送信のための制御情報を特定するステップと、
前記制御情報を複数の制御チャネル要素(CCE)へと符号化するステップと、
前記ダウンリンク制御チャネルRBセットがその上で構成されるOFDMシンボルの数とは無関係に、各リソース要素グループ(REG)が1つのみのCCEに割り当てられるように、マッピング関数を使用して前記ダウンリンク制御チャネルRBセットの中のREGの対応する一意なセットに前記複数のCCEの各CCEをマッピングするステップであって、前記1つまたは複数のOFDMシンボルの各々が複数のREGを用いて構成される、ステップと、
前記ダウンリンク制御チャネルRBセットを使用して前記符号化された制御情報を送信するステップと、を備え、
前記マッピング関数が、CCEインデックスを前記1つまたは複数のOFDMシンボルの各OFDMシンボルに含まれるべき前記複数のCCEの数で割ったものの床関数を備え、各OFDMシンボルに含まれるべき前記複数のCCEの数が、各OFDMシンボルに含まれるべき前記複数のREGの数を前記複数のCCEの各CCEに含まれるべきREGの数で割ったものの床関数であることを特徴とする、方法。
【請求項２】
前記複数のCCEの各CCEをマッピングするステップが、
REGの各対応するセットが前記1つまたは複数のOFDMシンボルのうちの単一のOFDMシンボル内に完全に含まれるように、前記複数のCCEの各CCEをマッピングするステップを備える、請求項1に記載の方法。
【請求項３】
各OFDMシンボルの中の前記複数のREGが前記複数のCCEの数の倍数であるように、前記1つまたは複数のOFDMシンボルにわたって前記ダウンリンク制御チャネルRBセットを割り振るステップをさらに備える、請求項1に記載の方法。
【請求項４】
前記マッピング関数が、
【数１】
2021501509.tif 000001
であり、ここで
【数２】
2021501509.tif 000002
であり、各OFDMシンボルに含まれるべき前記複数のCCEの前記数を示し、
【数３】
2021501509.tif 000003
が各OFDMシンボルに含まれるべき前記複数のREGの数を示し、
【数４】
2021501509.tif 000004
が各CCEに含まれるべきREGの数を示し、
n∈{0,1,...,k・CCEOS-1}であり、kが前記ダウンリンク制御チャネルRBセットがその上で構成されるOFDMシンボルの数であり、
i∈{0,1,...,NsCCE,m-1}であり、NsCCE,mが前記ダウンリンク制御チャネルRBセットの中の前記複数のCCEの数を示す、請求項1に記載の方法。
【請求項５】
前記ダウンリンク制御チャネルRBセットを使用して前記符号化された制御情報を送信するステップが、
セル固有基準信号(CRS)ベースの物理ダウンリンク制御チャネル(PDCCH)上で前記符号化された制御情報を送信するステップを備える、請求項1に記載の方法。
【請求項６】
ワイヤレス通信のための方法であって、
1つまたは複数の直交周波数分割多重化(OFDM)シンボルの中の複数の制御チャネル要素(CCE)を含むダウンリンク制御チャネルリソースブロック(RB)セットを受信するステップと、
マッピング関数に少なくとも一部基づいて前記ダウンリンク制御チャネルRBセットから前記複数のCCEをデマッピングするステップであって、各CCEが、前記ダウンリンク制御チャネルRBセットがその上で受信されるOFDMシンボルの数とは独立に、各リソース要素グループ(REG)が1つのみのCCEに割り当てられるように、前記マッピング関数によって前記ダウンリンク制御チャネルRBセットの中のREGの対応する一意なセットに割り当てられ、前記1つまたは複数のOFDMシンボルの各々が複数のREGを用いて構成される、ステップと、
前記複数のCCEを制御情報へと復号するステップと、を備え、
前記マッピング関数が、CCEインデックスを前記1つまたは複数のOFDMシンボルの各OFDMシンボルに含まれるべき前記複数のCCEの数で割ったものの床関数を備え、各OFDMシンボルに含まれるべき前記複数のCCEの数が、各OFDMシンボルに含まれるべき前記複数のREGの数を前記複数のCCEの各CCEに含まれるべきREGの数で割ったものの床関数であることを特徴とする、方法。
【請求項７】
前記マッピング関数が、
【数５】
2021501509.tif 000005
であり、ここで
【数６】
2021501509.tif 000006
であり、各OFDMシンボルに含まれるべき前記複数のCCEの前記数を示し、
【数７】
2021501509.tif 000007
が各OFDMシンボルに含まれるべき前記複数のREGの数を示し、
【数８】
2021501509.tif 000008
が各CCEに含まれるべきREGの数を示し、
n∈{0,1,...,k・CCEOS-1}であり、kが前記ダウンリンク制御チャネルRBセットがその上で構成されるOFDMシンボルの数であり、
i∈{0,1,...,NsCCE,m-1}であり、NsCCE,mが前記ダウンリンク制御チャネルRBセットの中の前記複数のCCEの数を示す、請求項6に記載の方法。
【請求項８】
前記ダウンリンク制御チャネルRBセットを受信するステップが、
セル固有基準信号(CRS)ベースの物理ダウンリンク制御チャネル(PDCCH)上で符号化された制御情報を受信するステップを備える、請求項6に記載の方法。
【請求項９】
ワイヤレス通信のための装置であって、
1つまたは複数の直交周波数分割多重化(OFDM)シンボルを用いて構成されるダウンリンク制御チャネルリソースブロック(RB)セット上での送信のための制御情報を特定するための手段と、
前記制御情報を複数の制御チャネル要素(CCE)へと符号化するための手段と、
前記ダウンリンク制御チャネルRBセットがその上で構成されるOFDMシンボルの数とは無関係に、各リソース要素グループ(REG)が1つのみのCCEに割り当てられるように、マッピング関数を使用して前記ダウンリンク制御チャネルRBセットの中のREGの対応する一意なセットに前記複数のCCEの各CCEをマッピングするための手段であって、前記1つまたは複数のOFDMシンボルの各々が複数のREGを用いて構成される、手段と、
前記ダウンリンク制御チャネルRBセットを使用して前記符号化された制御情報を送信するための手段と、を備え、
前記マッピング関数が、CCEインデックスを前記1つまたは複数のOFDMシンボルの各OFDMシンボルに含まれるべき前記複数のCCEの数で割ったものの床関数を備え、各OFDMシンボルに含まれるべき前記複数のCCEの数が、各OFDMシンボルに含まれるべき前記複数のREGの数を前記複数のCCEの各CCEに含まれるべきREGの数で割ったものの床関数であることを特徴とする、装置。
【請求項１０】
前記複数のCCEの各CCEをマッピングするための前記手段が、
REGの各対応するセットが前記1つまたは複数のOFDMシンボルのうちの単一のOFDMシンボル内に完全に含まれるように、前記複数のCCEの各CCEをマッピングするための手段を備える、請求項9に記載の装置。
【請求項１１】
各OFDMシンボルの中の前記複数のREGが前記複数のCCEの数の倍数であるように、前記1つまたは複数のOFDMシンボルにわたって前記ダウンリンク制御チャネルRBセットを割り振るための手段をさらに備える、請求項9に記載の装置。
【請求項１２】
前記マッピング関数が、
【数９】
2021501509.tif 000009
であり、ここで
【数１０】
2021501509.tif 000010
であり、各OFDMシンボルに含まれるべき前記複数のCCEの前記数を示し、
【数１１】
2021501509.tif 000011
が各OFDMシンボルに含まれるべき前記複数のREGの数を示し、
【数１２】
2021501509.tif 000012
が各CCEに含まれるべきREGの数を示し、
n∈{0,1,...,k・CCEOS-1}であり、kが前記ダウンリンク制御チャネルRBセットがその上で構成されるOFDMシンボルの数であり、
i∈{0,1,...,NsCCE,m-1}であり、NsCCE,mが前記ダウンリンク制御チャネルRBセットの中の前記複数のCCEの数を示す、請求項9に記載の装置。
【請求項１３】
前記ダウンリンク制御チャネルRBセットを使用して前記符号化された制御情報を送信するための前記手段が、
セル固有基準信号(CRS)ベースの物理ダウンリンク制御チャネル(PDCCH)上で前記符号化された制御情報を送信するための手段を備える、請求項9に記載の装置。
【請求項１４】
ワイヤレス通信のための装置であって、
1つまたは複数の直交周波数分割多重化(OFDM)シンボルの中の複数の制御チャネル要素(CCE)を含むダウンリンク制御チャネルリソースブロック(RB)セットを受信するための手段と、
マッピング関数に少なくとも一部基づいて前記ダウンリンク制御チャネルRBセットから前記複数のCCEをデマッピングするための手段であって、各CCEが、前記ダウンリンク制御チャネルRBセットがその上で受信されるOFDMシンボルの数とは独立に、各リソース要素グループ(REG)が1つのみのCCEに割り当てられるように、前記マッピング関数によって前記ダウンリンク制御チャネルRBセットの中のREGの対応する一意なセットに割り当てられ、前記1つまたは複数のOFDMシンボルの各々が複数のREGを用いて構成される、手段と、
前記複数のCCEを制御情報へと復号するための手段と、を備え、
前記マッピング関数が、CCEインデックスを前記1つまたは複数のOFDMシンボルの各OFDMシンボルに含まれるべき前記複数のCCEの数で割ったものの床関数を備え、各OFDMシンボルに含まれるべき前記複数のCCEの数が、各OFDMシンボルに含まれるべき前記複数のREGの数を前記複数のCCEの各CCEに含まれるべきREGの数で割ったものの床関数であることを特徴とする、装置。
【請求項１５】
前記マッピング関数が、
【数１３】
2021501509.tif 000013
であり、ここで
【数１４】
2021501509.tif 000014
であり、各OFDMシンボルに含まれるべき前記複数のCCEの前記数を示し、
【数１５】
2021501509.tif 000015
が各OFDMシンボルに含まれるべき前記複数のREGの数を示し、
【数１６】
2021501509.tif 000016
が各CCEに含まれるべきREGの数を示し、
n∈{0,1,...,k・CCEOS-1}であり、kが前記ダウンリンク制御チャネルRBセットがその上で構成されるOFDMシンボルの数であり、
i∈{0,1,...,NsCCE,m-1}であり、NsCCE,mが前記ダウンリンク制御チャネルRBセットの中の前記複数のCCEの数を示す、請求項14に記載の装置。